(57)【特許請求の範囲】
【請求項１】
カードが取り付けられるカード保持部の高さが、１枚のスキッドの高さと略同じ高さに形成されている、２枚のスキッドを溶着することにより製造される合成樹脂製パレットにおいて、前記カード保持部は、側部桁の端部付近に形成されているとともに、前記カード保持部は、前記カードの上端角部が挿入可能な奥壁とカード側部保持突片との間に形成された間隙と、天面を有するスリットと、該スリットと対向するように配置された底部を有する溝部とを有し、また、前記カード保持部に取り付けられる前記カードは、水平な底辺と、相対する垂直辺と、中央部が上方に湾曲した湾曲上辺とからなる略方形状の板材として形成されているとともに、前記湾曲上辺付近には、湾曲上辺に沿って、横長のスリットを形成することにより、弾性変形可能な弾性部が形成されており、前記カード保持部へ前記カードが取り付けられた際には、前記カードの上部角部が、前記カード保持部に形成された間隙に挿入され、また、前記カードの弾性部が、前記天面を有するスリット挿入され、更に、前記カードの底辺が、前記底部を有する溝部に挿入されるように構成されていることを特徴とする合成樹脂製パレット。
【発明の詳細な説明】
【技術分野】
【０００１】
本発明は、荷物の保管や運搬や搬送に使用する合成樹脂製パレットに関するものであり、特に、側面に、種々の情報が蓄積されたカードが保持することができるカード保持部が形成された合成樹脂製パレットに関するものである。
【背景技術】
【０００２】
従来、桁の上端縁と下端縁とに、相対するように、カード保持用のスリットを設けた合成樹脂製パレットが、一例として、引用文献１に開示されている。
【先行技術文献】
【特許文献】
【０００３】
【特許文献１】実公平６−２９０７号公報
【発明の概要】
【発明が解決しようとする課題】
【０００４】
上述した従来の合成樹脂製パレットにおいては、単に、カードの上下端縁を、スリットに挿入して保持したものであるため、カードが外れ易いという問題があった。
【０００５】
また、カードの高さが、低い場合には、カードの上下端縁の一方のスリットへの挿入量が少なく、特に外れ易いし、また、カードの高さが、高い場合には、カードが、外側に湾曲し、合成樹脂製パレットの側面より、突出した状態となり、カードが、損傷したり、外れるという問題があった。
【０００６】
本発明の目的は、上述した従来の合成樹脂製パレットが有する課題を解決することにある。
【課題を解決するための手段】
【０００７】
本発明は、上述した目的を達成するために、カードが取り付けられるカード保持部の高さが、１枚のスキッドの高さと略同じ高さに形成されている、２枚のスキッドを溶着することにより製造される合成樹脂製パレットにおいて、前記カード保持部は、側部桁の端部付近に形成されているとともに、前記カード保持部は、前記カードの上端角部が挿入可能な奥壁とカード側部保持突片との間に形成された間隙と、天面を有するスリットと、該スリットと対向するように配置された底部を有する溝部とを有し、また、前記カード保持部に取り付けられる前記カードは、水平な底辺と、相対する垂直辺と、中央部が上方に湾曲した湾曲上辺とからなる略方形状の板材として形成されているとともに、前記湾曲上辺付近には、湾曲上辺に沿って、横長のスリットを形成することにより、弾性変形可能な弾性部が形成されており、前記カード保持部へ前記カードが取り付けられた際には、前記カードの上部角部が、前記カード保持部に形成された間隙に挿入され、また、前記カードの弾性部が、前記天面を有するスリット挿入され、更に、前記カードの底辺が、前記底部を有する溝部に挿入されるように構成したものである。
【発明の効果】
【０００８】
２枚のスキッドを溶着することにより製造される合成樹脂製パレットにおいて、カードが取り付けられるカード保持部の高さを、１枚のスキッドの高さと略同じ高さに形成したことにより、カードの外側への湾曲を抑制することができ、従って、カードが、カード保持部から外れたり、損傷するようなことを防止することができる。
【０００９】
前記カードの湾曲上辺に沿って、横長のスリットを形成することにより、カードに、弾性部を形成したので、カード保持部へのカードの取り付け、取り外しを、迅速、且つ、容易に行うことができるとともに、カード保持部から、カードが、外れるようなことを防止することができる。
【００１０】
カードの湾曲上辺に沿って形成された弾性部が、カード保持部の水平面に形成されたスリットに挿入され、また、カードの垂直辺に形成された薄肉部が、カード保持部の奥壁とカード保持部のカード側部保持突片との間に形成された間隙に挿入され、更に、カードの底辺が、第２カード保持部に形成された溝部に挿入されるように構成されており、カードの全ての辺が、カード保持部に保持されように構成したので、カードを、安定した状態で、カード保持部に取り付けることができ、従って、カード保持部に取り付けられたカードに配設されたバーコードやＱＲコードやＩＣタグ等に蓄積された情報を、正確に読み取ることができる。
【図面の簡単な説明】
【００１１】
【図１】図１は、本発明の合成樹脂製パレットの全体斜視図である。
【図２】図２は、本発明の合成樹脂製パレットを構成するスキッドの部分拡大斜視図である。
【図３】図３は、同じく、本発明の合成樹脂製パレットを構成するスキッドの部分拡大斜視図である。
【図４】図４は、同じく、本発明の合成樹脂製パレットを構成するスキッドの部分拡大斜視図である。
【図５】図５は、同じく、本発明の合成樹脂製パレットを構成するスキッドの部分拡大斜視図である。
【図６】図６は、本発明の合成樹脂製パレットの部分拡大斜視図である。
【図７】図７は、本発明の合成樹脂製パレットの一部垂直断面を含む部分拡大斜視図である。
【図８】図８は、本発明の合成樹脂製パレットを構成するカードの斜視図である。
【図９】図９は、本発明の合成樹脂製パレットとカードとの分解斜視図である。
【図１０】図１０は、本発明の合成樹脂製パレットにカードが取り付けられた状態の一部垂直断面を含む部分拡大斜視図である。
【図１１】図１１は、本発明の合成樹脂製パレットにカードが取り付けられた状態の部分拡大斜視図である。
【実施例】
【００１２】
本発明の合成樹脂製パレットＰは、図１に示されているように、２枚の同一形状のスキッドＳを溶着することにより製造される、所謂、溶着パレットであり、スキッドＳを溶着することにより、相対する側部桁ｐ１と該相対する側部桁ｐ１間に位置する中央桁ｐ２とからなる、２つのフォーク挿入口ｐ３を有する、所謂、２方差し合成樹脂製パレットＰが製造されることになる。
【００１３】
以下に、スキッドＳについて説明する。
【００１４】
スキッドＳの合成樹脂製パレットＰの側部桁ｐ１を形成する、フォーク挿入口ｐ３に略平行な外側面（フォーク挿入口ｐ３を形成しない側面）ｓ１の両端部付近のうち、一方の端部付近には、後述するカードの上端部及び両側部を保持するための第１カード保持部１が形成されており、また、もう一方の端面付近には、カードの下端部を保持するための第２カード保持部２が形成されている。
【００１５】
次に、図２及び図３を用いて、第１カード保持部１について説明する。
【００１６】
第１カード保持部１は、平坦な奥壁１ａ１と、該奥壁１ａ１に垂直な相対する側面１ａ２と、スキッドＳの溶着面ｓ２から遠い側、換言すれば、合成樹脂製パレットＰのデッキ面ｐ４付近に位置する水平面１ａ３とからなるカード装着凹部１ａが形成されている。
【００１７】
第１カード保持部１のカード装着凹部１ａには、スキッドＳの外側面ｓ１に略面一で、且つ、カード装着凹部１ａ内に延在する相対するカード側部保持突片１ｂが形成されており、カード側部保持突片１ｂは、カード装着凹部１ａを構成する水平面１ａ３からスキッドＳの溶着面ｓ２方向に向かって、側面１ａ２の略中央部まで延在している。このようなカード側部保持突片１ｂを形成することにより、奥壁１ａ１とカード側部保持突片１ｂとの間には、カードの両側部が挿入される間隙Ｄ１が形成されることになる。
【００１８】
また、第１カード保持部１のカード装着凹部１ａを形成する水平面１ａ３には、相対する側面１ａ２まで延在するスリット１ａ３’が形成されており、スリット１ａ３’には、カードの上端部が挿入されるように構成されている。また、スリット１ａ３’の底部には、必要に応じて、雨水や洗浄水が排出される透孔１ａ３”が穿設されている。
【００１９】
更に、相対する側面１ａ２とスキッドＳの溶着面ｓ２とにより形成される角部、及び、奥壁１ａ１とスキッドＳの溶着面ｓ２とにより形成される角部を、切り欠くことにより、段差部１ｄ１が形成されている。この段差部１ｄ１は、２枚の同一形状のスキッドＳの溶着面ｓ２を溶着する際に発生する溶融樹脂が、カード装着凹部１ａの奥壁１ａ１や側面１ａ２を越えないように、後述する溶融樹脂の溜まり溝の半分を形成するものである。
【００２０】
次に、図４及び図５を用いて、第２カード保持部２について説明する。
【００２１】
スキッドＳの外側面ｓ１には、正面形状が方形状の凹部２’が形成されており、このような凹部２’を形成することにより、スキッドＳの溶着面ｓ２側には、凹部２’を構成する水平な梁状の第２カード保持部２が形成されている。また、第２カード保持部２には、上述した段差部１ｄ１と同様の段差部２ｄ１が形成されている。
【００２２】
第２カード保持部２のスキッドＳの溶着面ｓ２側の水平面には、段差部２ｄ１を形成する相対する側面２ｄ１’付近まで延在する溝部２ａが形成されている。また、溝部２ａの底部には、必要に応じて、雨水や洗浄水が排出される透孔２ａ１が穿設されている。
【００２３】
上述した構成を有する２枚のスキッドＳを、第１カード保持部１の段差部１ｄ１と第２カード保持部２の段差部２ｄ１とが一致するように、且つ、溶着面ｓ２同士が一致するように配置した後、周知のように、溶着面ｓ２において溶着することにより、合成樹脂製パレットＰが製造されることになる。このようにして、製造された合成樹脂製パレットＰの側部桁ｐ１の両端部付近には、それぞれ、カード保持部Ｈが形成されることになる。
【００２４】
上述したようにして形成されたカード保持部Ｈは、一方のスキッドＳに形成された第１カード保持部１を構成する平坦な奥壁１ａ１と、相対する側面１ａ２と、相対する側面１ａ２まで延在するスリット１ａ３’が形成された水平面１ａ３と、カード側部保持突片１ｂと、もう一方のスキッドＳに形成された第２カード保持部２を構成する溝部２ａとから構成されている。また、上述したようにして形成されたカード保持部Ｈは、第１カード保持部１が形成されたスキッドＳの高さ、換言すれば、合成樹脂製パレットＰの高さの略半分の高さに形成されることになる。
【００２５】
なお、上述したように２枚のスキッドＳの溶着面ｓ２を溶着することにより、第１カード保持部１の段差部１ｄ１と第２カード保持部２の段差部２ｄ１とにより、溶融樹脂の溜まり溝３が形成されることになり、この溜まり溝３に、溶着作業の際に発生する溶融樹脂が溜まることになる。
【００２６】
次に、図８を用いて、カード保持部Ｈに取り付けられるカードＣについて説明する。
【００２７】
カードＣは、水平な底辺ｃ１と、相対する垂直辺ｃ２と、中央部が上方に湾曲した湾曲上辺ｃ３とからなる略方形状で、弾性変形可能な合成樹脂製の板材で形成されている。
【００２８】
カードＣには、湾曲上辺ｃ３付近には、湾曲上辺ｃ３に沿って、横長のスリットｃ４が形成されており、このような横長のスリットｃ４を形成することにより、カードＣには、湾曲上辺ｃ３に沿って、弾性変形可能な弾性部ｃ５が形成されている。
【００２９】
また、湾曲上辺ｃ３と相対する垂直辺ｃ２とにより形成されるカードＣの角部には、縦長の薄肉部ｃ６が形成されており、更に、水平な底辺ｃ１の中央部には、底辺ｃ１を切り欠くことにより、カード取り外し用切欠部ｃ７が形成されている。
【００３０】
次に、図９〜図１１を用いて、合成樹脂製パレットＰのカード保持部ＨへのカードＣの取り付けについて説明する。
【００３１】
先ず最初に、図９に示されているように、カードＣを、カード保持部Ｈの下方に配置した後、カードＣを上昇させて、カードＣの上部角部に形成された薄肉部ｃ６を、カード保持部Ｈの奥壁１ａ１とカード側部保持突片１ｂとの間に形成された間隙Ｄ１に挿入させながら、カードＣの湾曲上辺ｃ３に沿って形成された弾性部ｃ５を、カード保持部Ｈの水平面１ａ３に形成されたスリット１ａ３’に挿入する。カードＣの弾性部ｃ５が、スリット１ａ３’の天面１ａ４に当接した状態から、更に、カードＣを上昇させて、カードＣの弾性部ｃ５を下方に弾性変形させることにより、カードＣの底辺ｃ１を、水平な梁状の第２カード保持部２を越えるように配置し、次いで、カードＣの下端部を、カード保持部Ｈの奥壁１ａ１方向に移動させる。その後、カードＣの底辺ｃ１を、弾性変形された弾性部ｃ５の弾性反発力により、第２カード保持部２に形成された溝部２ａに挿入する。このようにして、カードＣが、図１１に示されているように、合成樹脂製パレットＰに形成されたカード保持部Ｈに取り付けられることになる。
【００３２】
また、合成樹脂製パレットＰのカード保持部Ｈに装着されたカードＣを取り外すには、カードＣに形成され、その一部が、水平な梁状の第２カード保持部２を越えるように位置するカード取り外し用切欠部ｃ７に、ドライバー等の適当な取り外し具を差し込み、その先端部を上昇させて、カードＣの弾性部ｃ５を下方に弾性変形させ、カードＣの底辺ｃ１を、水平な梁状の第２カード保持部２を越えるように配置し、その後、カードＣの底辺ｃ１を、第２カード保持部２に形成された溝部２ａから排出し、カードＣを下方に移動させることにより、カードＣを、カード保持部Ｈから取り外すことができるように構成されている。
【００３３】
上述したように、カード保持部Ｈが、第１カード保持部１が形成されたスキッドＳの高さ、換言すれば、合成樹脂製パレットＰの高さの略半分の高さに形成されているので、従来の合成樹脂製パレットの高さと略同じ高さに形成されたカード保持部に比べて、カードＣの高さを、略半分にすることができるので、カードＣの外側への湾曲を抑制することができ、従って、カードＣが、カード保持部Ｈから外れたり、損傷するようなことを防止することができる。
【００３４】
また、カードＣの湾曲上辺ｃ３に沿って、横長のスリットｃ４を形成することにより、カードＣに、弾性変形可能な弾性部ｃ５を形成したので、カード保持部ＨへのカードＣの取り付け、取り外しを、迅速、且つ、容易に行うことができるとともに、カードＣが、カード保持部Ｈから外れるようなことを防止することができる。特に、カードＣが、弾性部ｃ５により、下方に付勢されているので、カードＣの底辺ｃ１が、第２カード保持部２に形成された溝部２ａから排出するようなことを防止することができる。
【００３５】
更に、カードＣが、カード保持部Ｈに取り付けられた際には、カードＣの湾曲上辺ｃ３に沿って形成された弾性部ｃ５が、カード保持部Ｈの水平面１ａ３に形成されたスリット１ａ３’に挿入され、また、カードＣの垂直辺ｃ２に形成された薄肉部ｃ６が、カード保持部Ｈの奥壁１ａ１とカード側部保持突片１ｂとの間に形成された間隙Ｄ１に挿入され、更に、カードＣの底辺ｃ１が、第２カード保持部２に形成された溝部２ａに挿入されるように構成されており、カードＣの全ての辺が、カード保持部Ｈに、保持されているので、カードＣを、安定した状態で、カード保持部Ｈに取り付けることができ、従って、カード保持部Ｈに取り付けられたカードＣに配設されたバーコードやＱＲコードやＩＣタグ等に蓄積された情報を、正確に読み取ることができる。
【００３６】
なお、ｐ５は、必要に応じて、スキッドＳの外側面ｓ１に形成された第１カード保持部１に並設された凹部であり、この凹部を構成する奥壁ｐ５ａには、会社名等の種々の情報を配設したり、刻印数することができるように構成されている。
【符号の説明】
【００３７】
Ｃ・・・・・・・・・・・カード
ｃ５・・・・・・・・・・弾性部
Ｈ・・・・・・・・・・・カード保持部
Ｓ・・・・・・・・・・・スキッド
１・・・・・・・・・・・第１カード保持部
２・・・・・・・・・・・第２カード保持部
【図１】
0005378309.tif 000002
【図２】
0005378309.tif 000003
【図３】
0005378309.tif 000004
【図４】
0005378309.tif 000005
【図５】
0005378309.tif 000006
【図６】
0005378309.tif 000007
【図７】
0005378309.tif 000008
【図８】
0005378309.tif 000009
【図９】
0005378309.tif 000010
【図１０】
0005378309.tif 000011
【図１１】
0005378309.tif 000012